(57)【特許請求の範囲】
【請求項１】
上部開口を備え内部に被抽出物を収納した抽出袋と、該抽出袋の正面および背面にそれぞれ取り付けられると共に飲用カップの上部開口周縁部に掛止される抽出袋支持シートとを有し、前記抽出袋は、上部開口を封止すると共に前記抽出袋支持シートを両側方向にそれぞれ引っ張ることにより剥離可能なトップシール部を有し、該トップシール部は上部より下部の方がシール強度が高く構成されていることを特徴とする嗜好性飲料抽出用バッグ。
【請求項２】
前記トップシール部は、上下方向に複数段のシール部を有しており、該シール部は下方のシール部ほどシール強度が高く構成されている請求項１に記載の嗜好性飲料抽出用バッグ。
【請求項３】
前記トップシール部６の最下部の両側にはそれぞれ難剥離性のポイントシール部が形成されている請求項２に記載の嗜好性飲料抽出用バッグ。
【請求項４】
最下方の前記シール部は線状に形成され一端部は前記ポイントシール部に繋がっている請求項３に記載の嗜好性飲料抽出用バッグ。
【請求項５】
上部開口を備え内部に被抽出物を収納した抽出袋と、該抽出袋の正面および背面にそれぞれ取り付けられると共に飲用カップの上部開口周縁部に掛止される抽出袋支持シートとを有し、前記抽出袋は、上部開口を封止すると共に前記抽出袋支持シートを両側方向にそれぞれ引っ張ることにより剥離可能なトップシール部を有し、該トップシール部は上部より下部の方がシール強度が高く構成されている嗜好性飲料抽出用バッグの製造装置であって、該嗜好性飲料抽出用バッグの製造装置は、前記トップシール部を形成するためのシール装置を有し、該シール装置は、前記嗜好性飲料抽出用バッグの前記抽出袋を正面および背面から挟圧してシールするための挟圧体を有し、該挟圧体は前記トップシール部の前記上部より前記下部を強く挟圧するように構成されていることを特徴とする嗜好性飲料抽出用バッグの製造装置。
【請求項６】
前記挟圧体は、挟圧する前記抽出袋側に向かって突出する突出部を有し、該突出部は、前記トップシール部の前記上部より前記下部に対する方が前記抽出袋側に向かってより突出するように構成されている請求項５に記載の嗜好性飲料抽出用バッグの製造装置。
【請求項７】
上部開口を備え内部に被抽出物を収納した抽出袋と、該抽出袋の正面および背面にそれぞれ取り付けられると共に飲用カップの上部開口周縁部に掛止される抽出袋支持シートとを有し、前記抽出袋は、上部開口を封止すると共に前記抽出袋支持シートを両側方向にそれぞれ引っ張ることにより剥離可能なトップシール部を有し、該トップシール部は上部より下部の方がシール強度が高く構成されている嗜好性飲料抽出用バッグの製造方法であって、該嗜好性飲料抽出用バッグの製造方法は、前記トップシール部を形成するためのシール工程を有し、該シール工程は、前記嗜好性飲料抽出用バッグの前記トップシール部の上部を形成する工程と、前記嗜好性飲料抽出用バッグの前記トップシール部の下部を、前記トップシール部の上部のシール強度より高くシールして形成する工程とを有していることを特徴とする嗜好性飲料抽出用バッグの製造方法。
【発明の詳細な説明】
【技術分野】
【０００１】
本発明は、ドリップ方式にてコーヒーや紅茶等を淹れる際に用いられる嗜好性飲料抽出バッグ、その製造装置および製造方法に関するものである。
【背景技術】
【０００２】
従来より、不織布等の抽出袋と、抽出袋内に充填された被抽出物と、抽出袋の表裏面にそれぞれ取り付けられカップの上部開口周縁部に掛止するための紙製等の支持シートとを有した嗜好性飲料抽出バッグが種々提案されている。そのような嗜好性飲料抽出バッグの使用に際してはトップシール部を開封して、抽出袋の上端辺部を開口させ被抽出物を露呈させる必要があり、このトップシール部の開封方式として、ミシン目カット方式（特開平１１−１７８７２０号公報）やイージーオープン方式のものがある。
【０００３】
ミシン目カット方式は、抽出袋の上部を横断するように形成されたミシン目に沿って上端辺部を切除することにより抽出袋を開口する方式である。他方、イージーオープン方式は、図１０に示した抽出袋１００の上端辺部に形成されたシール部１０１を、図１１（Ａ），（Ｂ）に示すように、抽出袋１００の表裏面にそれぞれ取り付けられた支持シート１０２，１０３を両側方向（図中上下方向）に引っ張ることにより、シール部１０１を剥離させて抽出袋１００を開口する方式である。
【０００４】
しかし、ミシン目カット方式は、切除された上端辺部がゴミになるものであった。他方、従来のイージーオープン方式では、支持シート１０２，１０３を両側方向に引っ張ると、一気にシール部１０１が剥離して抽出袋１００が開口するため、図１１（Ｂ）に示すように、開口の勢いで被抽出物１０４が抽出袋１００から飛び出してしまうことがあった。
【先行技術文献】
【特許文献】
【０００５】
【特許文献１】特開平１１−１７８７２０号公報
【発明の概要】
【発明が解決しようとする課題】
【０００６】
そこで、本発明の課題は、開封に際して上端辺部が切除されてゴミが発生することがなく、抽出袋の開封が容易であると共に被抽出物が抽出袋から飛び出してしまうこともない嗜好性飲料抽出用バッグ、その製造装置および製造方法を提供することにある。
【課題を解決するための手段】
【０００７】
上記課題を達成するものは、上部開口を備え内部に被抽出物を収納した抽出袋と、該抽出袋の正面および背面にそれぞれ取り付けられると共に飲用カップの上部開口周縁部に掛止される抽出袋支持シートとを有し、前記抽出袋は、上部開口を封止すると共に前記抽出袋支持シートを両側方向にそれぞれ引っ張ることにより剥離可能なトップシール部を有し、該トップシール部は上部より下部の方がシール強度が高く構成されていることを特徴とする嗜好性飲料抽出用バッグ（請求項１）である。
【０００８】
前記トップシール部は、上下方向に複数段のシール部を有しており、該シール部は下方のシール部ほどシール強度が高く構成されている（請求項２）ことが好ましい。前記トップシール部６の最下方の両側にはそれぞれ難剥離性のポイントシール部が形成されている（請求項３）ことが好ましい。最下方の前記シール部は線状に形成され一端部は前記ポイントシール部に繋がっている（請求項４）ことが好ましい。
【０００９】
また、上記課題を達成するものは、上部開口を備え内部に被抽出物を収納した抽出袋と、該抽出袋の正面および背面にそれぞれ取り付けられると共に飲用カップの上部開口周縁部に掛止される抽出袋支持シートとを有し、前記抽出袋は、上部開口を封止すると共に前記抽出袋支持シートを両側方向にそれぞれ引っ張ることにより剥離可能なトップシール部を有し、該トップシール部は上部より下部の方がシール強度が高く構成されている嗜好性飲料抽出用バッグの製造装置であって、該嗜好性飲料抽出用バッグの製造装置は、前記トップシール部を形成するためのシール装置を有し、該シール装置は、前記嗜好性飲料抽出用バッグの前記抽出袋を正面および背面から挟圧してシールするための挟圧体を有し、該挟圧体は前記トップシール部の前記上部より前記下部を強く挟圧するように構成されていることを特徴とする嗜好性飲料抽出用バッグの製造装置（請求項５）である。
【００１０】
前記挟圧体は、挟圧する前記抽出袋側に向かって突出する突出部を有し、該突出部は、前記トップシール部の前記上部より前記下部に対する方が前記抽出袋側に向かってより突出するように構成されている（請求項６）ことが好ましい。
【００１１】
さらに、上記課題を達成するものは、上部開口を備え内部に被抽出物を収納した抽出袋と、該抽出袋の正面および背面にそれぞれ取り付けられると共に飲用カップの上部開口周縁部に掛止される抽出袋支持シートとを有し、前記抽出袋は、上部開口を封止すると共に前記抽出袋支持シートを両側方向にそれぞれ引っ張ることにより剥離可能なトップシール部を有し、該トップシール部は上部より下部の方がシール強度が高く構成されている嗜好性飲料抽出用バッグの製造方法であって、該嗜好性飲料抽出用バッグの製造方法は、前記トップシール部を形成するためのシール工程を有し、該シール工程は、前記嗜好性飲料抽出用バッグの前記トップシール部の上部を形成する工程と、前記嗜好性飲料抽出用バッグの前記トップシール部の下部を、前記トップシール部の上部のシール強度より高くシールして形成する工程とを有していることを特徴とする嗜好性飲料抽出用バッグの製造方法（請求項７）である。
【発明の効果】
【００１２】
請求項１または２に記載の嗜好性飲料抽出用バッグによれば、開封に際して上端辺部が切除されてゴミが発生することがなく、抽出袋の開封が容易であると共に被抽出物が抽出袋から飛び出してしまうこともない。
請求項３に記載の嗜好性飲料抽出用バッグによれば、ポイントシール部がトップシール部の開封に際してストッパーとして機能し、抽出袋支持シートを両側方向に引っ張ってもポイントシール部は剥離せず抽出袋の袋状態を保持すると共に、トップシール部が一気に剥離して被抽出物が飛び出すことをより防止することができる。
請求項４に記載の嗜好性飲料抽出用バッグによれば、下方のシール部（最下方のシール部）は、ポイントシール部に繋がっており、これにより、抽出袋支持シートを両側方向に引っ張っても、下方のシール部（最下方のシール部）からポイントシール部８滑らかに移行するため、トップシール部が一気に剥離して被抽出物が飛び出すことをより確実に防止することができる。
請求項５に記載の嗜好性飲料抽出用バッグの製造装置によれば、上記請求項１ないし４に記載の効果を奏する嗜好性飲料抽出用バッグを容易に作製できる。
請求項６に記載の嗜好性飲料抽出用バッグの製造装置によれば、上記請求項５に記載の嗜好性飲料抽出用バッグの製造装置を簡素な構造で構成できる。
請求項７に記載の嗜好性飲料抽出用バッグの製造方法によれば、上記請求項１ないし４に記載の効果を奏する嗜好性飲料抽出用バッグを容易に作製できる。
【図面の簡単な説明】
【００１３】
【図１】本発明の嗜好飲料用抽出バッグの一実施例を説明するための正面概略図である。
【図２】図１に示した嗜好飲料用抽出バッグの開封方法を説明するための説明図である。
【図３】本発明の嗜好飲料用抽出バッグの製造装置の平面概略図である。
【図４】図３に示した嗜好飲料用抽出バッグの製造装置の正面概略図である。
【図５】図３に示した嗜好飲料用抽出バッグの製造装置の右側面概略図である。
【図６】図３に示した嗜好飲料用抽出バッグの製造装置におけるシール装置の説明図である。
【図７】図６に示したシール装置の挟圧体付近の拡大図である。
【図８】図６に示したシール装置の突出部付近の拡大図である。
【図９】本発明の嗜好飲料用抽出バッグの他の実施例を説明するための正面概略図である。
【図１０】従来の嗜好飲料用抽出バッグを説明するための正面概略図である。
【図１１】図１０に示した従来の嗜好飲料用抽出バッグの開封方法を説明するための説明図である。
【発明を実施するための形態】
【００１４】
本発明では、上部開口２を備え内部に被抽出物３を収納した抽出袋４と、抽出袋４の正面４ａおよび背面４ｂにそれぞれ取り付けられると共に飲用カップの上部開口周縁部に掛止される抽出袋支持シート５ａ，５ｂとを有し、抽出袋４は上部開口２を封止すると共に抽出袋支持シート５ａ，５ｂを両側方向にそれぞれ引っ張ることにより剥離可能なトップシール部６を有し、トップシール部６は上部６ａより下部６ｂの方がシール強度を高く構成したことで、開封に際して、上端辺部が切除されてゴミが発生することがなく、抽出袋の開封が容易であると共に、トップシール部６が上部６ａより滑らかに剥離するため、一気に剥離して被抽出物が抽出袋から飛び出してしまうこともない嗜好性飲料抽出用バッグ１を実現した。
【実施例１】
【００１５】
本発明の嗜好性飲料抽出用バッグを図１または図２に示した一実施例を用いて説明する。
この実施例の嗜好性飲料抽出用バッグ１は、上部開口２を備え内部に被抽出物３を収納した抽出袋４と、抽出袋４の正面４ａおよび背面４ｂにそれぞれ取り付けられると共に飲用カップの上部開口周縁部に掛止される抽出袋支持シート５ａ，５ｂとを有し、抽出袋４は上部開口２を封止すると共に抽出袋支持シート５ａ，５ｂを両側方向にそれぞれ引っ張ることにより剥離可能なトップシール部６を有し、トップシール部６は上部６ａより下部６ｂの方がシール強度が高く構成されている。以下、各構成について順次詳述する。
【００１６】
嗜好性飲料抽出用バッグ１は、焙煎粉砕したコーヒー豆（被抽出物）にお湯を注いでコーヒーを淹れるためのものであり、飲用カップの上部開口周縁部に掛止して使用するものである。ただし、本発明の嗜好性飲料抽出用バッグ１は、被抽出物が焙煎粉砕したコーヒー豆であるドリップコーヒーパックに限定されるものではなく、被抽出物が紅茶や日本茶など他の飲用被抽出物であるものも本発明の範疇に包含される。
【００１７】
抽出袋４は、図１または図２に示すように、正面視略三角形状（正面視ダイヤモンド形状）に形成されると共に上部開口２を備えており、内部に焙煎粉砕したコーヒー豆（被抽出物）３を収納するための被抽出物収納空間７を有している。
【００１８】
抽出袋４の形成材料としては適度な通湯性に有するものであればよいが、不織布が好ましく、特に、ポリプロピレン繊維又はポリエステル繊維等の熱可塑性繊維を構成繊維としたエンボスタイプの不織布がより好ましい。エンボスタイプの不織布は、構成繊維相互間が部分的に圧縮されると共に圧縮部位で結合されており、圧縮部位で構成繊維相互間の空隙が小さくなると共に空隙率が低くなって、スポット的に湯を通しにくくなっているため、被抽出物を抽出する適度な通湯性を備えた抽出袋を形成することができる。
【００１９】
また、抽出袋４は熱可塑性繊維を構成繊維とした不織布を用いることによって、図１に示すように、抽出袋４の側縁部４ｃ，４ｂをそれぞれ熱融着して貼着し、有底袋状体として形成されている。抽出袋４は、成形時には上部開口２が形成されるように開放した状態で成形され、この上部開口２を通して予め所定量の被抽出物３が充填され、その後、抽出袋４の正面４ａおよび背面４ｂの上端辺部４ｅの内面同士が接着され封止（イージーシール：易剥離性シール）されている。
【００２０】
具体的には、抽出袋４の正面４ａおよび背面４ｂの上端辺部４ｅの内面同士には、両者を接着したトップシール部６が形成されている。
このトップシール部６は、抽出袋４は上部開口２を封止すると共に抽出袋支持シート５ａ，５ｂを両側方向にそれぞれ引っ張ることにより剥離可能に構成されている。トップシール部６は、図１に示した上部６ａより下部６ｂの方がシール強度が高く構成されており、これにより、抽出袋４の開封が、従来のイージーシールに比してより容易であると共に、トップシール部６が上部６ａより滑らかに剥離するため、一気に剥離して被抽出物３が抽出袋４から飛び出してしまうことを防止できる。
【００２１】
この実施例のトップシール部６は、上下方向に複数段（この実施例では２段）のシール部（上部６ａと下部６ｂ）を有しており、下方のシール部（下部６ｂ）の方がシール強度が高く構成されている。具体的には、上部６ａには多数の接着部ｇが点在して形成されており、上部６ａは抽出袋支持シート５ａ，５ｂを両側方向に２〜４Ｎで引っ張ることにより剥離可能に構成されている。他方、下部６ｂには線状の接着部ｈが形成されており、下部６ｂは抽出袋支持シート５ａ，５ｂを両側方向に５〜７Ｎで引っ張ることにより剥離可能に構成されている。より具体的には、この実施例では上部６ａは、抽出袋支持シート５ａ，５ｂを両側方向に４Ｎ程度で引っ張ることにより剥離するように構成されており、下部６ｂは、抽出袋支持シート５ａ，５ｂを両側方向に６Ｎ程度で引っ張ることにより剥離するように構成されている。
【００２２】
なお、この実施例のトップシール部６は、上下方向に２段のシール部（上部６ａより下部６ｂ）を有しているが、本発明はこれに限定されるものではなく、上下方向に複数段のシール部を有し、下方のシール部ほどシール強度が高く構成されたものを広く包含する。また、この実施例のトップシール部６は、段階的に下方のシール部ほどシール強度が高く構成されているが、段階的ではなく徐々に下方のシール部ほどシール強度が高く構成されたものも本発明の範疇に包含される。さらに、抽出袋４の正面４ａおよび背面４ｂの両側付近の内面であって、トップシール部６の最下部にはそれぞれ、図１（Ｂ）に示すように、難剥離性のポイントシール部８が形成されている。これらポイントシール部８はトップシール部６の開封に際してストッパーとして機能し、抽出袋支持シート５ａ，５ｂを両側方向に引っ張ってもポイントシール部８は剥離せず抽出袋４の袋状態を保持すると共に、トップシール部６が一気に剥離して被抽出物が飛び出すことをより防止することができる。さらに、下方のシール部（最下方のシール部）６ｂは、図１（Ａ）に示すように、線状に形成され一端部はポイントシール部８に繋がっており、これにより、抽出袋支持シート５ａ，５ｂを両側方向に引っ張っても、下方のシール部（最下方のシール部）６ｂからポイントシール部８へ滑らかに移行するため、トップシール部６が一気に剥離して被抽出物が飛び出すことをより確実に防止することができる。
【００２３】
トップシール部６の形成方法としては、抽出袋４の正面４ａおよび背面４ｂの上端辺部４ｅの内面同士を面接触させ、上端辺部４ｅをスポット的または線状に超音波融着することにより接着する方法が用いられているが、熱融着法など他の接着方法により、抽出袋４の正面４ａおよび背面４ｂの上端辺部４ｅの内面同士を接着させてもよい。
【００２４】
抽出袋支持シート５ａ，５ｂは、飲用カップの上部開口周縁部に抽出袋４を掛止させて保持させるための部材であり、抽出袋４の正面４ａおよび背面４ｂにそれぞれ取り付けられている。
【００２５】
この実施例の抽出袋支持シート５ａ，５ｂは、剛性のある紙材で形成されており、図１（Ｂ）に示すように、抽出袋４の正面４ａおよび背面４ｂにそれぞれ接着固定された接着部９と、接着部９の中央下部で連続し、他の部位は打ち抜き成形により接着部９と分断して形成された引き起こし片１０とを有している。引き起こし片１０は、飲用カップの上部開口周縁部に掛止される部位であり、引用カップ内に挿入される第１掛止部１１と、飲用カップの上部開口周縁部を跨いで飲用カップの外方に配される第２掛止部１２が打ち抜き成形により形成されている。
【００２６】
つぎに、本発明の嗜好性飲料抽出用バッグ１の使用方法について説明する。
嗜好性飲料抽出用バッグ１を使用するには、まず、上部開口２が封止（イージーシール）された状態（図２（Ａ））から、抽出袋４の正面４ａおよび背面４ｂにそれぞれ取り付けられた抽出袋支持シート５ａ，５ｂの引き起こし片１０の下部を把持して、図２（Ｂ）に示すように、両側（正面側および背面側）に向かって２〜４Ｎ程度の軽い力で引っ張る。これにより、前述したトップシール部６の上部６ａの接着部ｇが剥離して上部開口２が少し開く。さらに、両側（正面側および背面側）に向かって５〜７Ｎ程度の少し強い力で引っ張ると、前述したトップシール部６の下部６ｂの接着部ｈが剥離して、図２（Ｃ）に示すように上部開口２が大きく開く。このように、本発明の嗜好性飲料抽出用バッグ１は、上部６ａより下部６ｂの方がシール強度が高く構成されているため、トップシール部６が上部６ａより滑らかに剥離するため、一気に剥離して被抽出物３が抽出袋４から飛び出してしまうことが防止される。
【００２７】
そして、上部開口２を十分に開口させた状態（図２（Ｃ）の状態）で、第１掛止部１１を引用カップ内に挿入させ、第２掛止部１２を飲用カップの上部開口周縁部を跨いで飲用カップの外方に配して、嗜好性飲料抽出用バッグ１を飲用カップの周縁部に掛止させる。この状態で抽出袋４の上部開口２の上方よりお湯を注ぐと、抽出袋４により濾過されて飲用カップ内にコーヒーがドリップされる。
【００２８】
さらに、図９に示した本発明の嗜好性飲料抽出用バッグの他の実施例について説明する。
この実施例の嗜好性飲料抽出用バッグ２０と前述した嗜好性飲料抽出用バッグ１との相違は、嗜好性飲料抽出用バッグ１のトップシール部６の上部６ａに設けられた接着部ｇは多数点在して設けられているのに対して、嗜好性飲料抽出用バッグ２０のトップシール部６の上部６ａに設けられた接着部ｋは線状に形成されている点であり他は同様である。嗜好性飲料抽出用バッグ１と同一構成部分については同一符号を付し説明を省略する。このように、本発明の嗜好性飲料抽出用バッグのトップシール部に設けられる接着部は点状のものでも線状のものでもよい。
【００２９】
つぎに、本発明の嗜好性飲料抽出用バッグの製造装置を、図３ないし図８に示した一実施例を用いて説明する。
この実施例の嗜好性飲料抽出用バッグの製造装置（包装機）３０は、上部開口２を備え内部に被抽出物３を収納した抽出袋４と、抽出袋４の正面４ａおよび背面４ｂにそれぞれ取り付けられると共に飲用カップの上部開口周縁部に掛止される抽出袋支持シート５ａ，５ｂとを有し、抽出袋４は上部開口２を封止すると共に抽出袋支持シート５ａ，５ｂを両側方向にそれぞれ引っ張ることにより剥離可能なトップシール部６を有し、トップシール部６は上部６ａより下部６ｂの方がシール強度が高く構成されている嗜好性飲料抽出用バッグ１の製造装置であって、嗜好性飲料抽出用バッグ１の製造装置３０は、トップシール部６を形成するためのシール装置４０を有し、シール装置４０は、嗜好性飲料抽出用バッグ１の抽出袋４を正面４ａおよび背面４ｂから挟圧してシールするための挟圧体４１，４２を有し、挟圧体４１，４２はトップシール部６の上部６ａより下部６ｂを強く挟圧するように構成されている。以下、各構成について順次説明するが、嗜好性飲料抽出用バッグ１については前述した通りであり説明を省略する。
【００３０】
この実施例の嗜好性飲料抽出用バッグの製造装置３０は、被抽出物３（焙煎粉砕したコーヒー豆）を抽出袋４内に充填して上端辺部４ｅを封止（トップシール部６を形成する）し、嗜好性飲料抽出用バッグ１を完成させる包装機である。
【００３１】
具体的には、嗜好性飲料抽出用バッグの製造装置３０は、図１に示すように、グリップ対３１ａ，３１ｂに両端部をそれぞれ把持された抽出袋４が、図３に示したそれぞれのステーション（第１ないし第９ステーション）を間欠移動する間に、被抽出物３（焙煎粉砕したコーヒー豆）が充填され上端辺部４ｅが封止（トップシール部６が形成）されて、嗜好性飲料抽出用バッグ１が量産される装置である。
【００３２】
嗜好性飲料抽出用バッグの製造装置３０は、包装袋Ａの上部両端付近を把持するグリップ対３１と、グリップ対３１を複数の工程毎に間欠移動させるための移動体３２とを有し、トップシール工程が行われる第６ステーションには、ストップシール部６を形成するためのシール装置４０が設けられている。
【００３３】
嗜好性飲料抽出用バッグの製造装置３０は、垂直方向に延在する間欠回転軸（図示せず）を回転自由に支持するスタンド（図示せず）が機台３３上に設けられ、その間欠回転軸の上部に取り付けられた移動体（円盤状回転体）３２には、抽出袋４を掴着又は釈放するためのグリップ対３１が間欠回転軸を中心として等角度間隔で放射方向に突出するように設けられている。グリップ対３１は、抽出袋４の両端部を把持して、移動体３２と共に包装工程毎に間欠回転移動する。なお、この実施例は移動体（円盤状回転体）３２を間欠回転駆動させるロータリー方式の包装機であるが、本発明を公知の直線移動方式の包装機に適用することも可能である。
【００３４】
嗜好性飲料抽出用バッグの製造装置３０にて行われる包装工程は、被抽出物３が充填されていない嗜好性飲料抽出用バッグ１（抽出袋４）を機内に供給する給袋工程（第１工程）、姿勢確認工程（第２工程）、開口工程（第３工程）、被抽出物充填工程（第４工程）、トップシール工程（第５工程）および製品排出工程（第６工程）である。
【００３５】
具体的には、給袋工程（第１工程）は、第９ステーションにて行われ、給袋コンベア３４によって順次搬送される抽出袋４を給袋装置３５によって、間欠移動してくるグリップ対３１ａ，３１ｂに順次把持させることにより行われる。姿勢確認（第２工程）は、第１ステーションにて行われ、センサにより抽出袋４の姿勢を確認することにより行われる。開口工程（第３工程）は、第３ステーションにて行われ、グリップ対３１ａ，３１ｂに垂直姿勢で支持された抽出袋４の表裏面をそれぞれ吸盤にて吸着して上部開口２を開口させることにより行われる。被抽出部充填工程（第４工程）は、第４ステーションにて行われ、充填機３６から抽出袋４内に被抽出物（焙煎粉砕したコーヒー豆）が充填されることにより行われる。トップシール工程（第５工程）は、第６ステーションにて行われ、シール装置４０によりシール抽出袋４の上端辺部４ｅの内面にトップシール部６が形成されることにより行われる。製品排出工程（第６工程）は、第８ステーションにお行われ、被抽出物３が充填されシールされた嗜好性飲料抽出用バッグ１が機外の搬送コンベア３７に排出されることにより行われる。そして、嗜好性飲料抽出用バッグの製造装置３０では、これら一連の包装工程が移動体３２の間欠回転によって間欠移動してくるグリップ対３１ａ，３１ｂに支持された抽出袋４に順次行われることにより嗜好性飲料抽出用バッグ１が量産されるように構成されている。なお、嗜好性飲料抽出用バッグの製造装置３０における第２ステーション、第５ステーションおよび第７ステーションは空きステーションとなっており包装工程は行われない。
【００３６】
トップシール工程（第５工程）が行われる第６ステーションに設置されたシール装置４０は超音波融着装置であり、図６に示すように、嗜好性飲料抽出用バッグ１の抽出袋４を正面４ａおよび背面４ｂから挟圧してシールするための挟圧体（ホーン）４１と挟圧体（アンビル）４２を有し、挟圧体４１，４２はトップシール部６の上部６ａより下部６ｂを強く挟圧するように構成されている。これにより、開封に際して、抽出袋４の開封が容易であると共に、トップシール部６が上部６ａより滑らかに剥離するため、一剥離して被抽出物３が抽出袋４から飛び出してしまうことのない嗜好性飲料抽出用バッグ１を製造することができる。
【００３７】
より具体的には、挟圧体（アンビル）４２は、図７に示すように、挟圧する抽出袋４側に向かって突出する突出部４３，４４を有し、突出部４３，４４は、図８に示すように、トップシール部６の上部６ａより下部６ｂに対する方（突出部４４）が抽出袋４側に向かってより突出するように構成されている。これにより、下部６ｂに対する方（突出部４４の方）が上部６ａに対する方（突出部４３の方）より強く抽出袋４を押圧するため、この状態で超音波融着を施すことで、トップシール部６の上部６ａより下部６ｂに対する方が、シール強度を高く構成することができる。
【００３８】
なお、図６中、４５は超音波振動子、４６ａは挟圧体（ホーン）４１を水平方向に往復動させて抽出袋４を挟圧体（アンビル）４２と共に挟圧するためのホーン側シリンダー、４６ｂは挟圧体（アンビル）４２を水平方向に往復動させて抽出袋４を挟圧体（ホーン）４１と共に挟圧するためのアンビル側シリンダー、４７は水平方向に延在するガイドレール４８に沿って往復動可能に取り付けられ挟圧体（ホーン）４１の水平方向における往復動を保持するためのスライドガイド、４９は水平方向に延在するガイドレール４８に沿って往復動可能に取り付けられ挟圧体（アンビル）４２の水平方向における往復動を保持するためのスライドガイドであり、これらの作用により、シール装置４０は、抽出袋４を挟圧した状態で超音波振動によりトップシール部６を形成できるように構成されている。また、この実施例のシール装置４０は超音波融着装置であるが、本発明におけるシール装置はこれに限定されるものではなく熱融着装置などの他のシール装置であってもよい。さらに、この実施例の嗜好性飲料抽出用バッグの製造装置３０は、１つのステーションに配された１つのシール装置４０を有し、挟圧体（アンビル）４２が上下方向に、水平方向への突出度が異なる複数の突出部４３，４４を有しているが、これに限定されるものではなく、嗜好性飲料抽出用バッグの製造装置が、複数のステーションに複数のシール装置を有し、複数のシール装置のそれぞれの挟圧体が、水平方向への突出度が異なる突出部をそれぞれ有し、複数工程で、シール強度が異なるシール部を有するトップシール部を形成するものも本発明の範疇に包含される。
【００３９】
つぎに、本発明の嗜好性飲料抽出用バッグの製造方法を、図３ないし図８に示した嗜好性飲料抽出用バッグの製造装置に適用した一実施例を用いて説明する。
この実施例の嗜好性飲料抽出用バッグの製造方法は、上部開口２を備え内部に被抽出物３を収納した抽出袋４と、抽出袋４の正面４ａおよび背面４ｂにそれぞれ取り付けられると共に飲用カップの上部開口周縁部に掛止される抽出袋支持シート５ａ，５ｂとを有し、抽出袋４は上部開口２を封止すると共に抽出袋支持シート５ａ，５ｂを両側方向にそれぞれ引っ張ることにより剥離可能なトップシール部６を有し、トップシール部６は上部６ａより下部６ｂの方がシール強度が高く構成されている嗜好性飲料抽出用バッグ１の製造方法であって、トップシール部６を形成するためのシール工程を有し、このシール工程は、嗜好性飲料抽出用バッグ１のトップシール部６の上部６ａを形成する工程と、嗜好性飲料抽出用バッグ１のトップシール部６の下部６ｂを、トップシール部６の上部６ａのシール強度より高くシールして形成する工程とを有している。以下、各工程について順次説明するが、嗜好性飲料抽出用バッグ１については前述した通りであり説明を省略する。
【００４０】
この実施例の嗜好性飲料抽出用バッグの製造方法は、抽出袋４に被抽出物３（焙煎粉砕したコーヒー豆）を充填して上端辺部４ｅを封止（トップシール部６を形成する）し、嗜好性飲料抽出用バッグ１を完成させるものである。
【００４１】
具体的には、この実施例の嗜好性飲料抽出用バッグの製造方法では、図１に示すように、グリップ対３１ａ，３１ｂに両端部をそれぞれ把持された抽出袋４が、図３に示したそれぞれのステーション（第１ないし第９ステーション）を間欠移動する間に、被抽出物３（焙煎粉砕したコーヒー豆）が充填され上端辺部４ｅが封止（トップシール部６が形成）されて、嗜好性飲料抽出用バッグ１が量産される。
【００４２】
そして、本発明の嗜好性飲料抽出用バッグの製造方法の特徴的工程は、トップシール部６を形成するためのシール工程にあり、このシール工程は、嗜好性飲料抽出用バッグ１のトップシール部６の上部６ａを形成する工程と、嗜好性飲料抽出用バッグ１のトップシール部６の下部６ｂを、トップシール部６の上部６ａのシール強度より高くシールして形成する工程とを有している。
【００４３】
嗜好性飲料抽出用バッグ１のトップシール部６の上部６ａを形成する工程は、トップシール工程（第５工程）が行われる第６ステーションにおいて行われる。具体的には、超音波融着装置であるシール装置４０が、図６に示すように、嗜好性飲料抽出用バッグ１の抽出袋４を正面４ａおよび背面４ｂから挟圧してシールするための挟圧体（ホーン）４１と挟圧体（アンビル）４２を有し、この挟圧体（アンビル）４２が、図７に示すように、トップシール部６の上部６ａを形成する突出部４３を有しており、この突出部４３が、挟圧体（ホーン）４１と共に抽出袋４を挟圧した状態で超音波融着が施されることにより、この工程が行われる。
【００４４】
他方、嗜好性飲料抽出用バッグ１のトップシール部６の下部６ｂを、トップシール部６の上部６ａのシール強度より高くシールして形成する工程は、トップシール部６の上部６ａを形成する突出部４３より、下部６ｂを形成する突出部４４の方が抽出袋４側に向かってより突出するように構成されていることにより、下部６ｂに対する方（突出部４４の方）が上部６ａに対する方（突出部４３の方）より強く抽出袋４を押圧し、この状態で超音波融着を施すことで、トップシール部６の上部６ａより下部６ｂに対する方が、シール強度が高いシール部が構成されることにより行われる。
【００４５】
なお、この実施例の嗜好性飲料抽出用バッグの製造方法は、１つのステーションに配された１つのシール装置４０を有し、挟圧体（アンビル）４２が上下方向に、水平方向への突出度が異なる複数の突出部４３，４４を有するものにより行われているが、これに限定されるものではなく、嗜好性飲料抽出用バッグの製造装置が、複数のステーションに複数のシール装置を有し、複数のシール装置のそれぞれの挟圧体が、水平方向への突出度が異なる突出部をそれぞれ有し、複数の工程で、嗜好性飲料抽出用バッグ１のトップシール部６の上部６ａを形成する工程と、嗜好性飲料抽出用バッグ１のトップシール部６の下部６ｂを、トップシール部６の上部６ａのシール強度より高くシールして形成する工程とを行うものも本発明の範疇に包含される。
【００４６】
このように、本発明の嗜好性飲料抽出用バッグの製造方法では、シール工程が、嗜好性飲料抽出用バッグのトップシール部の上部を形成する工程と、嗜好性飲料抽出用バッグのトップシール部の下部を、トップシール部の上部のシール強度より高くシールして形成する工程とを有することで、開封に際して、抽出袋４の開封が容易であると共に、トップシール部６が上部６ａより滑らかに剥離するため、一剥離して被抽出物３が抽出袋４から飛び出してしまうことのない嗜好性飲料抽出用バッグ１を製造することができる。
【符号の説明】
【００４７】
１                  嗜好飲料用抽出バッグ
２                  上部開口
３                  被抽出物
４                  抽出袋
５ａ，５ｂ          抽出袋支持シート
６                  トップシール部
７                  被抽出物収納空間
８                  ポイントシール部
９                  接着部
１０                引き起こし片
１１                第１掛止部
１２                第２掛止部
３０                嗜好性飲料抽出用バッグの製造装置
３１                グリップ対
３２                移動体
３３                機台
３４                給袋コンベア
３５                給袋装置
３６                充填機
３７                搬送コンベア
４０                シール装置
４１                挟圧体（ホーン）
４２                挟圧体（アンビル）
４３                突出部
４４                突出部
４５                超音波振動子
４６ａ              ホーン側シリンダー
４６ｂ              アンビル側シリンダー
４７                スライドガイド
４８                ガイドレール
４９                スライドガイド
【図１】
0006473865.tif 000002
【図２】
0006473865.tif 000003
【図３】
0006473865.tif 000004
【図４】
0006473865.tif 000005
【図５】
0006473865.tif 000006
【図６】
0006473865.tif 000007
【図７】
0006473865.tif 000008
【図８】
0006473865.tif 000009
【図９】
0006473865.tif 000010
【図１０】
0006473865.tif 000011
【図１１】
0006473865.tif 000012